(57)【要約】【課題】自動スライドの効果を有する弾力スライド機構を有する装置を提供する。【解決手段】弾力スライド機構を有する装置は、第一係合素子を有する殻体と、殻体に位置し、第二係合素子を有する移動素子と、殻体と移動素子に設置される伝動素子と、殻体と移動素子に設置される帯動素子と、一端が伝動素子に固定され、もう一端が殻体上に固定される弾性素子と、からなる。移動素子が移動して、第二係合素子と第一係合素子を係合させる時、帯動素子は伝動素子を帯動して回転させ、伝動素子が弾性素子を旋緊し、第一係合素子と第二係合素子が離れる時、弾性素子の弾力により、移動素子を移動させる。【選択図】図３
0003123884.tif 000002
【実用新案登録請求の範囲】
【請求項１】
弾力スライド機構を有する装置であって、
第一係合素子を有する殻体と、
前記殻体上に位置し、第二係合素子を有する移動素子と、
前記殻体と前記移動素子に設置される少なくとも一つの伝動素子と、
一端が前記伝動素子に固定され、もう一端が前記殻体／前記移動素子に固定される弾性素子と、
前記殻体と前記移動素子に設置され、前記伝動素子と接合する帯動素子と、からなり、
前記移動素子が移動して、前記第二係合素子と前記第一係合素子を係合させる時、前記帯動素子は前記伝動素子を帯動して回転させ、前記伝動素子が前記弾性素子を旋緊し、前記第一係合素子と前記第二係合素子が離れる時、前記弾性素子の弾力により、前記伝動素子を回転させ、前記移動素子を帯動して移動させることを特徴とする弾力スライド機構を有する装置。
【請求項２】
前記殻体はカメラで、且つ、前記移動素子は前記カメラのレンズカバーであることを特徴とする請求項１に記載の弾力スライド機構を有する装置。
【請求項３】
前記殻体はカメラで、且つ、前記移動素子は前記カメラの電池槽であることを特徴とする請求項１に記載の弾力スライド機構を有する装置。
【請求項４】
前記殻体はスライド式携帯電話で、且つ、前記移動素子は前記スライド式携帯電話のスライドカバーであることを特徴とする請求項１に記載の弾力スライド機構を有する装置。
【請求項５】
前記伝動素子はギアとギアシャフトで、且つ、前記帯動素子はラックで、前記弾性素子は前記ギアシャフト上に固定されることを特徴とする請求項１に記載の弾力スライド機構を有する装置。
【請求項６】
前記弾性素子はばね、スプリング、トーションばねであることを特徴とする請求項１、或いは、５に記載の弾力スライド機構を有する装置。
【請求項７】
前記殻体は更に、少なくとも一つのガイドレール／ガイドトラックを有し、前記移動素子は更に、少なくとも一つのガイドトラック／ガイドレールを有し、前記ガイドトラックを前記ガイドレール中に位置させ、前記移動素子は前記ガイドレール方向に移動することを特徴とする請求項１に記載の弾力スライド機構を有する装置。
【請求項８】
前記第一係合素子は係合フックで、且つ、前記第二係合素子は係合槽であることを特徴とする請求項１に記載の弾力スライド機構を有する装置。
【請求項９】
前記第一係合素子は係合槽で、且つ、前記第二係合素子は係合フックであることを特徴とする請求項１に記載の弾力スライド機構を有する装置。
【請求項１０】
前記殻体／前記移動素子は、更に、二つの伝動素子を有し、それぞれ、第一伝動素子、第二伝動素子で、且つ、前記第一伝動素子と前記第二伝動素子は互いに接合し、前記第一伝動素子は前記帯動素子と接合し、前記弾性素子の一端は前記第二伝動素子に固定され、前記帯動素子が前記第一伝動素子を帯動して回転させるとき、前記第二伝動素子を回転させて、前記弾性素子が旋緊することを特徴とする請求項１に記載の弾力スライド機構を有する装置。
【請求項１１】
更に、保護素子を有し、前記殻体、或いは、前記移動素子に設置され、前記伝動素子が前記移動素子を帯動して移動させるとき、前記移動素子と前記殻体が接触するのを防止することを特徴とする請求項１に記載の弾力スライド機構を有する装置。
【考案の詳細な説明】
【技術分野】
【０００１】
本考案は、スライド機構を有する装置に関するものであって、特に、弾力スライド機構を有する装置に関するものである。
【背景技術】
【０００２】
一般のスライド機構を有する装置は、デジタルカメラとスライド式携帯電話等である。デジタルカメラにおいて、レンズカバーはレンズ保護と防塵の作用を提供し、レンズカバーはデジタルカメラ未使用時、或いは、使用終了後、レンズを覆蓋する位置に移動させ、撮影の前は、レンズカバーを開く。よって、レンズカバーはデジタルカメラ中でも最もよく移動させる機構であり、また、公知のレンズカバーが有するスライド機構は通常、スライド機構で、米国特許第５８１９１２７号で、スライドカバーを有するカメラが開示されている。図１で示されているように、カメラ２の上下両側にそれぞれガイドレール４を設置し、ガイドレール４により、レンズカバーとなるスライドカバー６をカメラ２上に係設し、スライドカバー６がカメラ２上で滑動できる。この種の方式は操作終了時、使用者は手動の方式でスライドカバー６を元の位置に推し戻さなければならないので、操作上不便で、操作質感も劣る。よって、スライドカバー滑動の動作を電動方式に変更して、スライドカバーを自身で移動させるようにしているものがあるが、モーターを利用した帯動の動作であり、デジタルカメラの電力は一定の消耗で、カメラが長時間待機できない。また、公知のデジタルカメラ電池槽は、一般に、デジタルカメラ内に固定設置するので、電池交換時、デジタルカメラを傾倒させて、電池槽内の電池を電池槽から滑出させた後、電池を交換し、デジタルカメラ傾倒時に、誤って、デジタルカメラを落とす危険がある。
【０００３】
デジタルカメラがスライド機構を有する以外に、スライド式携帯電話もスライド機構を有し、公知のスライド式携帯電話は、ガイドレールと係合構造により、スライドカバー移動の目的を達成し、携帯電話使用時、スライドカバーを推して、係合構造を解除し、ガイドレールに沿って、携帯殻体のもう一つの係合構造まで移動させる。使用完了後、スライドカバーともう一つの係合状態を解除し、スライドカバーを引いて、元の位置に戻す。この種の方式は、使用者にとって操作が不便で、よって、公知技術では、弾性素子の弾力により、スライド式携帯電話のスライドカバーを僅かに推す（引く）ことで、スライドカバーを自身でスライドさせており、中華民国特許第２５２２０９号で開示されるように、スライドカバーを有する携帯電話は、図２で示されるように、スライド装置は、底板８、上蓋１０、及び、弾性素子１２からなり、底板８の両側に、ガイドトラック１４を嵌入できるガイドレール１６を設置し、且つ、弾性素子１２一端は、底板８側面に設けられ、もう一端は底板８に相対する上蓋１０に設けられる。最後に、底板８と上蓋１０をそれぞれ、携帯電話の上殻体１８と下殻体２０に固定し、上殻体１８と下殻体２０が弾性素子１２により開閉動作ができるようになっている。この種の方式は一定時間滑動使用すると、弾性素子１２の応力集中現象が生じ、弾性素子１２が変形したり、断裂したりして、携帯電話の機体とスライドカバー間が閉合できなくなる。
【特許文献１】米国特許第５８１９１２７号
【特許文献２】中華民国特許第２５２２０９号
【考案の開示】
【考案が解決しようとする課題】
【０００４】
本考案は、スライド機構を有する装置を提供し、伝動素子により弾性素子を旋緊させる方式で、装置上の移動素子が、弾性素子により釈放される弾力で自動移動することができるようにすることを目的とする。
【０００５】
本考案は、弾力スライド機構を有する装置を提供し、構造が簡単で、装置外観に影響しないという長所を具備させることをもう一つの目的とする。
【０００６】
本考案は、弾力スライド機構を有する装置を提供し、装置使用終了後、装置上の移動素子が自身で元の位置に戻り、手動で戻す必要を無くすことを更なる目的とする。
【課題を解決するための手段】
【０００７】
上述の目的を達成するために、本考案の弾力スライド機構を有する装置は、第一係合素子を有する殻体と、殻体に位置し、第二係合素子を有する移動素子と、殻体と移動素子に設置される少なくとも一つの伝動素子と、一端が伝動素子に固定され、もう一端が殻体上に固定される弾性素子と、殻体と移動素子に設置される帯動素子と、からなる。上述の素子により、移動素子が移動して、第二係合素子と第一係合素子を係合させる時、帯動素子は伝動素子を帯動して回転させ、伝動素子が弾性素子を旋緊し、第一係合素子と第二係合素子が離れる時、弾性素子が釈放する弾力により、伝動素子を回転させ、移動素子を帯動して移動させる。伝動素子と弾性素子の一端は、移動素子に設置され、帯動素子は殻体に設置される。この他、伝動素子は、ギアとギアシャフトを有し、帯動素子はラックで、弾性素子はギアシャフト上に固定され、また、更に、殻体に少なくとも一つのガイドレール／ガイドトラックを有し、移動素子は少なくとも一つのガイドトラック／ガイドレールを有し、ガイドトラックをガイドレール中に位置させ、移動素子はガイドレール方向に移動する。殻体と移動素子は、カメラとスライディングドア、或いは、スライド式携帯電話とスライドカバー等である。
【考案の効果】
【０００８】
本考案のスライド機構を有する装置は、弾性素子により釈放される弾力で自動移動することができ、また、構造が簡単で、装置外観に影響しない、という長所が得られる。
【考案を実施するための最良の形態】
【０００９】
本考案は、殻体上に少なくとも一つの伝動素子と弾性素子を有し、移動素子を移動させて、移動素子に設けられた帯動素子が、伝動素子を帯動して回転させ、弾性素子が旋緊し、移動素子は弾性素子の弾力により自動移動するものである。
【００１０】
殻体と移動素子は、それぞれ、カメラとレンズカバーで、伝動素子はギアとギアシャフト、帯動素子はラックで、弾性素子はスプリングを具体的な実施例とし、本考案の技術内容を理解しやすいようにする。
【００１１】
図３、及び、図４（ａ）で示されるように、カメラ２２は、カメラ殻体２４とレンズカバー２６等の主要部分からなり、レンズカバー２６の上下両側は、それぞれ、ラック２８とガイドトラック３０を設け、殻体２４は、第一殻体３２と第二殻体３４を含む。第一殻体３２の上下両側に溝槽３６を設置し、第一殻体３２と第二殻体３４を組み合わせた後、カメラ殻体２４上下両側に移動槽３８とガイドレール４０が設置される。殻体２４とレンズカバー２６はそれぞれ、第一係合素子となる係合フック４２と第二係合素子となる係合槽４４を有し、第一係合素子を係合槽４４として、第二係合素子を係合フック４２としてもよい。また、ラック２８と相互接合するギア４６がギアシャフト４８の一端上に設けられ、ギアシャフト４８のもう一端は、カメラ殻体２４に設置されて、ギア４６が殻体２４に装着され、スプリング５０の一端がギアシャフト４８上に固定され、且つ、もう一端がカメラ殻体２４上に固定される。更に、本考案は、カメラ殻体２４、或いは、レンズカバー２６に保護素子を設置して、レンズカバー２６移動時に、カメラ殻体２４と接触するのを防止する。最後に、ガイドトラック３０をガイドレール４０に装入し、ギア４６とラック２８を移動槽３８内に相互接合して、レンズカバー２６をカメラ殻体２４上に係設させると共に、レンズカバー２６をガイドレール４０方向に移動させる。
【００１２】
続いて、図４（ａ）と図４（ｂ）は、カメラ２２の作動を示す図である。使用者がカメラ２２のレンズカバー２６を開いて撮影する時、レンズカバー２６はラック２８を移動槽３８に沿って移動させ、ギア４６の回転を帯動し、ギアシャフト４８を回転させて、スプリング５０を徐々に旋緊させ、レンズカバー２６が係合槽４４に移動して係合フック４２を係合する時、レンズカバー２６の位置は固定され、スプリング５０を旋緊状態に保持する。最後に、カメラ２２の使用完成後、係合フック４２と係合槽４４を分離させることにより、スプリング５０の弾力を釈放させ、この弾力により、ギアシャフト４８を回転させ、ギア４６を帯動して回転させ、且つ、更に、ギア４６に接合されたラック２８を移動槽３８内で移動させ、ガイドトラック３０はガイドレール４０に沿って滑動し、レンズカバー２６は自身で元の位置に戻る。故に、構造が簡単で、且つ、装置外観に影響しないという長所が得られる。これにより、カメラ２２は使用者が使用終了後、レンズカバー２６が自動で元の位置に戻り、手動で戻す必要がない。更に、スプリング５０の弾力を利用し、レンズカバー２６が自動で戻る時、電池の電力を消耗しない。
【００１３】
但し、上述の内容中、本考案は、ギア４６とギアシャフト４８、及び、ラック２８を、それぞれ、カメラ殻体２４、及び、レンズカバー２６に設置するのに限定せず、ギア４６とギアシャフト４８をレンズカバー２６に設置し、ラック２８をカメラ殻体２４に設置し、スプリング５０をカメラ殻体２４の一端に固定するのを、レンズカバー２６に固定するように変えてもよい。この他、ガイドトラック３０とガイドレール４０も、それぞれ、カメラ殻体２４とレンズカバー２６に設置してもよい。また、弾性素子はスプリング５０以外に、ばねやトーションばねを使用してもよい。
【００１４】
更に、ラックが過短であったり、レンズカバーの移動工程が短すぎる等の要因で、ギアがスプリングを必要程度に旋緊できなくなることを考慮して、本考案は、スプリングを装着する時、まず、スプリングを少し旋緊させる以外に、大ギアにより小ギアの回転を帯動し、更に多くの巻き数により、スプリングが必要な程度に旋緊され、同様の効果を達する。図５は、本考案の大小両ギアの作動を示す図である。図で示されるように、カメラ殻体２４は、第一伝動素子となる大ギア５２、及び、ギアシャフトを装着し、大ギア５２はラック２８と接合し、第二伝動素子となる小ギア５４、及び、ギアシャフトを装着し、小ギア５４は大ギア５２と接合する。また、スプリング一端は小ギア５２のギアシャフト上に固定される。これにより、レンズカバー２６が係合槽４４に移動して、係合フック４２と係合する時、レンズカバー２６に設置されたラック２８は、大ギア５２を帯動して回転させ、大ギア５２により、小ギア５４を帯動して回転させ、一端が小ギア５４に固定されたギアシャフト上のスプリングは次第に旋緊し、係合槽４４が係合フック４２に係合して、旋緊状態を保持するので、係合槽４４と係号フック４２が分離する時、スプリングは充分な弾力により、小ギア５４を帯動して回転させ、大ギア５２を帯動してラック２８を移動し、レンズカバー２６が元の位置に戻る。
【００１５】
本考案は、カメラとレンズカバーに応用できる以外に、カメラとカメラの電池槽上、或いは、スライド式携帯電話、及び、そのスライド部分にも応用できる。まず、図６（ａ）は本考案のもう一つの実施例の局部断面図である。図で示されるように、カメラはカメラ殻体５６と電池槽５８とからなり、カメラ殻体５８は係合槽６０を有し、カメラ殻体５６に設置されたギアシャフトにより、ギア６２をカメラ殻体５６に装着し、且つ、電池槽５８両側辺に、それぞれ、ラック６４と係合フック６６を設置し、続いて、スプリングの一端がギアシャフト上に固定され、もう一端がカメラ殻体５６上に固定される。これにより、電池６８が電池槽５８に装入された後、電池槽５８をカメラ殻体５６内に圧入することにより、ラック６４がギア６２を帯動して回転させ、スプリングが旋緊すると共に、係合フック６６が係合槽６０に係合する時、スプリングが旋緊状態を保持し、最後に、電池カバー７０が蓋される。続いて、図６（ｂ）で示されるように、カメラが電池６８交換が必要な時に、まず、電池カバー７０を開け、係合フック６６と係合槽６０を分離させ、スプリングが釈放する弾力により、ギア６２を回転させ、ラック６４を帯動して移動させ、電池槽５８を上昇させ、使用者はカメラを傾倒しなくても、電池６８を取り出して交換することが出来、電池交換終了後、電池槽５８をカメラ殻体５６に押し戻し、電池カバー７０を蓋すればよい。その他の部分は上述の実施例と相似するので、ここに詳述しない。
【００１６】
この他、図７は、本考案を、スライド式携帯電話７２に応用した作動を示す図である。上述の実施例と相同で、スライド式携帯電話殻体７４に装着されるギア７６とギアシャフト、及び、スライドカバー７８に装着されるラック８０により、使用者が携帯電話７２を使用するとき、スライドカバー７８を上に押し、ラック８０を移動させると共に、ギア７６を帯動して回転させると、スプリングが旋緊し、係合フックと係合槽が係合する時、旋緊状態を維持する。これにより、使用者が携帯電話７２の使用終了時、係合フックと係合槽を分離させるだけで、スライドカバー７８は、スプリングが釈放する弾力により、ギア７６を帯動して回転させ、ラック８０を移動して、スライドカバー７８が元の位置に戻る。その他の相関部分は、上述の各実施例を参考にし、ここでは詳述しない。よって、公知のスライド式携帯電話と比較すると、本考案を応用したスライド式形態は、一定時間使用後、弾性素子の応力集中による変形や断裂が生じない。
【００１７】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１８】
【図１】公知のカメラを示す図である。
【図２】公知のスライド式携帯電話の立体構造図である。
【図３】本考案の実施例による立体分解図である。
【図４ａ】本考案の作動を示す図である。
【図４ｂ】本考案の作動を示す図である。
【図５】本考案のもう一つの実施例の作動を示す図である。
【図６ａ】本考案の更にもう一つの実施例の作動時の断面図である。
【図６ｂ】本考案の更にもう一つの実施例の作動時の断面図である。
【図７】本考案のもう一つの実施例の作動を示す図である。
【符号の説明】
【００１９】
２    カメラ
４    ガイドレール
６    スライドカバー
８    底板
１０  上蓋
１２  弾性素子
１４  ガイドトラック
１６  ガイドレール
１８  上殻体
２０  下殻体
２２  カメラ
２４  カメラ殻体
２６  レンズカバー
２８  ラック
３０  ガイドトラック
３２  第一殻体
３４  第二殻体
３６  溝槽
３８  移動槽
４０  ガイドレール
４２  係合フック
４４  係合槽
４６  ギア
４８  ギアシャフト
５０  スプリング
５２  大ギア
５４  小ギア
５６  カメラ殻体
５８  電池槽
６０  係合槽
６２  ギア
６４  ラック
６６  係合フック
６８  電池
７０  電池カバー
７２  スライド式携帯電話
７４  スライド式携帯電話殻体
７６  ギア
７８  スライドカバー
８０  ラック
【図１】
0003123884.tif 000003
【図２】
0003123884.tif 000004
【図３】
0003123884.tif 000005
【図４ａ】
0003123884.tif 000006
【図４ｂ】
0003123884.tif 000007
【図５】
0003123884.tif 000008
【図６ａ】
0003123884.tif 000009
【図６ｂ】
0003123884.tif 000010
【図７】
0003123884.tif 000011